(57)【要約】【課題】従来式の配送伝票をも流用でき、インターネット上のＷｅｂサイトのみならず、普通の実店舗、でも使用できるメッセージ欄付き配送伝票支持シートを得る。【解決手段】互いに積層させた複数枚の葉片からなる配送伝票を支持する配送伝票支持シート１は、配送伝票を配置する伝票配置領域２と、領域２に対してミシン目４を介して隣接するとともに、配送品の送り主が受取主に対するメッセージを記載するメッセージ記載領域５と、領域５に対して折り目６で隣接するとともに、折り目６で折り返すことによりメッセージ記載領域５に重なり合ってカバーする折り返し領域７とを有する。折り返し領域７の折り重なりの開きを防止する手段としての粘着性表面８、および非粘着性裏面９のうち少なくとも一方に広告表示を設け、また、伝票配置領域２の裏面側は、配送品に貼着可能な貼着部として設け、この貼着部に対して剥離可能に被覆する剥離片３を設ける。【選択図】図１
0003112530.tif 000002
【実用新案登録請求の範囲】
【請求項１】
互いに積層させた複数枚の葉片からなり、最上層の葉片表面に記載する文字を下層の葉片に転写可能となっている配送伝票を支持する配送伝票支持シートであって、
前記配送伝票を配置する伝票配置領域と、
配送品の送り主が受取主に対するメッセージを記載するメッセージ記載領域と、
折り目で折り返すことにより前記メッセージ記載領域に重なり合ってメッセージ記載領域を被覆する折り返し領域と、
折り重なりの開きを防止する開き防止手段と
を有し、前記伝票配置領域と前記メッセージ記載領域とをミシン目で互いに隣接させ、前記メッセージ記載領域と前記折り返し領域とを折り目で互いに隣接させ、また、前記伝票配置領域の裏面側は、配送品に貼着可能な貼着部として設け、この貼着部に対して剥離可能に被覆する剥離片を設けたことを特徴とする配送伝票支持シート。
【請求項２】
前記伝票配置領域、前記メッセージ記載領域、前記折り返し領域の横方向寸法、もしくは縦方向寸法を等しくし、それぞれ順次縦方向に、もしくは順次横方向に隣接させた請求項１記載の配送伝票支持シート。
【請求項３】
前記メッセージ記載領域および前記折り返し領域を、前記伝票配置領域よりも横寸法、もしくは縦寸法が大きいものとし、前記伝票配置領域の側方、もしくは下方に他の広告表示領域を設け、この他の広告表示領域の側方遊端縁、もしくは下方端縁が前記メッセージ記載領域および前記折り返し領域の側方端縁、もしくは下方端縁と整列する寸法とした請求項１記載の配送伝票支持シート。
【請求項４】
前記伝票配置領域の表面側は、配送伝票を収納可能な透明袋状に形成した請求項１乃至３のうちのいずれか一項に記載の配送伝票支持シート。
【請求項５】
前記メッセージ記載領域は、隣接の折り返し領域の方向に寸法を大きくし、少なくとも２つの折り片を有するジャバラ折り可能にし、前記折り返し領域は、前記ジャバラ折りの折り片の寸法に適合する寸法にし、かつジャバラ折りしたメッセージ記載領域の頂部にくるよう折り返すようにした請求項１乃至４のうちのいずれか一項に記載の配送伝票支持シート。
【請求項６】
前記メッセージ記載領域は、隣接の折り返し領域の方向に寸法を大きくし、少なくとも２つの折り片を有する巻き折り可能にし、前記折り返し領域はメッセージ記載領域における前記巻き折り片の寸法に適合する寸法にし、前記折り返し領域を隣接するメッセージ記載領域の巻き折り片に対して重なり合うよう巻き折り、つぎに、前記メッセージ記載領域を順次に巻き折りするようにした請求項１乃至４のうちのいずれか一項に記載の配送伝票支持シート。
【請求項７】
前記開き防止手段を、折り返しにより互いに向き合う対向面に設けた粘着面、またはメッセージ記載領域および折り返し領域のうちの一方に側方に突出するよう設けた粘着フラップ、またはその双方とした請求項１乃至６のうちのいずれか一項に記載の配送伝票支持シート。
【請求項８】
前記折り返し領域の表面、および折り返してメッセージ記載領域をカバーすることになるシート裏面のうち少なくとも一方に広告表示を設ける請求項１乃至７記載のうちのいずれか一項に記載の配送伝票支持シート。
【考案の詳細な説明】
【技術分野】
【０００１】
本考案は、互いに積層させた複数枚の葉片からなり、最上層の葉片表面に記載する文字を下層の葉片に転写可能となっている配送伝票に関するものである。
【背景技術】
【０００２】
このような配送伝票は、単に、伝票識別番号、配送品名、受取主および送り主のそれぞれの電話番号、住所および名前等を記載し、配送品にタグ付けするか、配送伝票における最下層葉片裏面の粘着面をカバーする剥離シートを剥がして梱包段ボールまたは梱包袋の表面に貼付するのが一般的であった。
【０００３】
一方、近年、インターネット上のＷｅｂサイトでオンラインショッピングすることが増えてきている。しかし、商品を贈答品として注文し、ネットショップから配送業者を介して送り先に直接配送する場合には、注文主、即ち、送り主の手元に贈答品が回送されないため、贈答品とともに送り主のメッセージを梱包内に同梱することができないという問題がある。
【０００４】
したがって、贈答品のネット販売専用のＷｅｂサイトにアクセスした注文主が、商品、発注元、届け先に関するデータとともに、メッセージも入力することができるようにし、そのサイトのサーバーが、所定フォーマットの配送伝票に、配送必須データとともにメッセージも印刷するようにしたものがある。（例えば、特許文献１参照。）
【特許文献１】特開２００４‐２９１４８８号公報
【考案の開示】
【考案が解決しようとする課題】
【０００５】
しかし、この特許文献１に記載の方法は、配送に関する従来式の複葉転写式の伝票ではなく、単に、配送業者控えも、届け先控えも、メッセージ欄もすべて同一平面上にベタに印刷するＷｅｂサイト専用フォーマットの配送用紙を準備しなければならない。
【０００６】
したがって、本考案の目的は、Ｗｅｂサイト専用フォーマットの用紙を準備する必要がなく、従来式の配送伝票をも流用でき、インターネット上のＷｅｂサイトのみならず、普通の実店舗、例えば、百貨店、量販店、コンビニエンス・ストア等でも使用できるメッセージ欄付き配送伝票支持シートを得るにある。
【課題を解決するための手段】
【０００７】
この目的を達成するため、本考案は、互いに積層させた複数枚の葉片からなり、最上層の葉片表面に記載する文字を下層の葉片に転写可能となっている配送伝票を支持する配送伝票支持シートであって、前記配送伝票を配置する伝票配置領域と、配送品の送り主が受取主に対するメッセージを記載するメッセージ記載領域と、折り目で折り返すことにより前記メッセージ記載領域に重なり合ってメッセージ記載領域を被覆する折り返し領域と、折り重なりの開きを防止する開き防止手段とを有し、前記伝票配置領域と前記メッセージ記載領域とをミシン目で互いに隣接させ、前記メッセージ記載領域と前記折り返し領域とを折り目で互いに隣接させ、また、前記伝票配置領域の裏面側は、配送品に貼着可能な貼着部として設け、この貼着部に対して剥離可能に被覆する剥離片を設けたことを特徴とする。
【考案の効果】
【０００８】
本考案配送伝票支持シートによれば、従来式の配送伝票をそのまま伝票配置領域に貼付し、Ｗｅｂサイト経由の入力データおよびメッセージ入力を印刷することができる。このメッセージは、折り返し領域でカバーされるため、配送途中には他人の目に触れることはなく、プライバシーは保たれる。しかも、折り返し領域の表面、および折り返してメッセージ記載領域をカバーするシート裏面のうちの少なくとも一方に広告表示を設ける実施例においては、広告主を第三者とした場合、配送料の一部を第三者広告主が負担するビジネスモデルにしておけば、第三者広告主の宣伝も兼ねてユーザーの負担が軽くなるという効果が得られる。
【０００９】
さらに、本考案配送伝票支持シートによれば、あらゆる配送業者の既存の配送伝票を、そのまま流用することができる。
【００１０】
本考案による配送伝票支持シートを、実店舗の百貨店、量販店、コンビニエンス・ストア等に置いておけば、この配送伝票支持シートに、送り主が手書きで、配送に関する記入および、必要に応じてメッセージを記入することができ、しかも、折り返し領域の表面、および折り返してメッセージ記載領域をカバーするシート裏面のうちの少なくとも一方に広告表示を設ける実施例においては、広告主を第三者とした場合、配送料は、第三者広告主が一部負担するので、安上がりとなる。
【考案を実施するための最良の形態】
【００１１】
本考案の好適な実施例においては、伝票配置領域、メッセージ記載領域、折り返し領域の横方向寸法、もしくは縦方向寸法を等しくし、それぞれ順次縦方向に、もしくは順次横方向に隣接させる。
【００１２】
本考案の他の好適な実施例においては、メッセージ記載領域および折り返し領域を、伝票配置領域よりも横寸法、もしくは縦寸法が大きいものとし、伝票配置領域の側方、もしくは下方に他の広告表示領域を設け、この他の広告表示領域の側方遊端縁、もしくは下方端縁がメッセージ記載領域および折り返し領域の側方端縁、もしくは下方端縁と整列する寸法とする。この実施例によれば、広告表示領域が拡大するため、より多くの広告表示をすることができようになる。
【００１３】
本考案のさらに他の好適な実施例においては、伝票配置領域の表面側は、配送伝票を収納可能な透明袋状に形成する。この実施例によれば、実店舗において、配送伝票における最下層葉片裏面の粘着面をカバーする剥離シートを剥がして伝票配置領域に貼着する手間が省ける。
【００１４】
本考案の他の好適な実施例においては、メッセージ記載領域は、隣接の折り返し領域の方向に寸法を大きくし、少なくとも２つの折り片を有するジャバラ折り可能にし、前記折り返し領域は、ジャバラ折りの折り片の寸法に適合する寸法にし、かつジャバラ折りしたメッセージ記載領域の頂部にくるよう折り返すようにする。
【００１５】
代案として、メッセージ記載領域は、隣接の折り返し領域の方向に寸法を大きくし、少なくとも２つの折り片を有する巻き折り可能にし、前記折り返し領域はメッセージ記載領域における前記巻き折り片の寸法に適合する寸法にし、前記折り返し領域を隣接するメッセージ記載領域の巻き折り片に対して重なり合うよう巻き折り、つぎに、前記メッセージ記載領域を順次に巻き折りするようにしてもよい。
【００１６】
本考案の他の好適な実施例においては、開き防止手段を、折り返しにより互いに向き合う対向面に設けた粘着面、またはメッセージ記載領域および折り返し領域のうちの一方に側方に突出するよう設けた粘着フラップ、またはその双方とする。
【００１７】
次に、図面につき、本考案の好適な実施例を詳細に説明する。
【実施例１】
【００１８】
図１は、本考案の第１実施例である配送伝票支持シート１を示す。この配送伝票支持シート１は、互いに積層させた複数枚の葉片からなり、最上層の葉片表面に記載する文字を下層の葉片に転写可能となっている配送伝票を配置する伝票配置領域２を有する。この配送伝票は、あらゆる配送業者の既存の配送伝票を配置することもできる。例えば、配送伝票における最下層葉片裏面の粘着面をカバーする剥離シートを剥がして伝票配置領域に貼着することにより配置することができる。代案として、伝票配置領域２は、配送伝票を収納可能な透明袋状に形成する。また、伝票配置領域２の裏面側は、周縁を除いて、配送品に貼着可能な貼着部として設け、この貼着部に対して剥離可能に被覆する剥離片３（一点点線で示す）を設ける。
【００１９】
伝票配置領域２に対して、ミシン目４を介してメッセージ記載領域５を隣接させる。このメッセージ記載領域５には、送り主が受取主に対するメッセージを記載する。このメッセージは、Ｗｅｂサイトに送信登録した文字列、またはグラフィックもしくはデジタルカメラで撮影した写真等の画像とし、Ｗｅｂサーバー環境のプリンタで販売管理者が印刷することができる。さらに、送り主自身が、マイコンピュータに接続したプリンタで印刷することもできる。
【００２０】
このメッセージ記載領域５に対して、折り目６で折り返すことにより、メッセージ記載領域５に重なり合うとともに、このメッセージ記載領域５を被覆する折り返し領域７を設ける。折り返しの重なり合いが開くのを防止する開き防止手段として、折り返し領域７の表面８およびメッセージ記載領域５のうち少なくとも折り返し領域７を粘着性表面とし、例えば、予め剥離紙によりカバーしておく。メッセージ記載領域５に記載されるメッセージは、剥離紙を剥がした折り返し領域７でカバーされるため、配送途中には他人の目に触れることはなく、プライバシーは保たれる。折り返し領域７の粘着性表面８および非粘着性裏面９のうち少なくとも一方には、広告表示を設ける。
【００２１】
図１の第１実施例では、伝票配置領域２、メッセージ記載領域５、折り返し領域７の横方向（幅）寸法を等しくし、これら領域を順次縦方向に隣接させた。代案として、これら領域２、５、および７の縦方向寸法を等しくし、それぞれ順次横方向に隣接させることもできる。
【実施例２】
【００２２】
図２に本考案の第２実施例である配送伝票支持シート１０を示す。この第２の実施例においては、メッセージ記載領域５および折り返し領域７を、伝票配置領域２よりも横寸法が大きいものとし、伝票配置領域２の側方に他の広告表示領域１１を設ける。この他の広告表示領域１１の側方遊端縁は、メッセージ記載領域５および折り返し領域７の側方端縁に整列する。代案として、図２の（ｂ）に示すように、配送伝票支持シート１０′においては、メッセージ記載領域５および折り返し領域７を、伝票配置領域２よりも縦寸法が大きいものとし、伝票配置領域２の下方に他の広告表示領域を設けるようにすることもできる。このとき、この他の広告表示領域の下方端縁はメッセージ記載領域５および折り返し領域７の下方端縁と整列する。
【００２３】
この他の広告表示領域１１は、例えば、キャンペーンのクーポンとすることもでき、伝票配置領域２およびメッセージ記載領域５に対してミシン目４，４′から切り取るようにすると好適である。
【００２４】
上述の第１および第２の実施例の双方において、配送品が受取主に届いた後、メッセージ記載領域５および折り返し領域７を、ミシン目３の部分で伝票配置領域２から切り取って保管することができる。
【実施例３】
【００２５】
図３に本考案による第３実施例を示す。図３（ａ）の実施例によれば、メッセージ記載領域５は、隣接の折り返し領域７の方向に寸法を大きくし、少なくとも２つの折り片５ａ、５ｂを有するジャバラ折り可能にし、折り返し領域７は、ジャバラ折りの折り片５ａ、５ｂの寸法に適合する寸法にし、かつ矢印Ａ１、Ａ２のようにジャバラ折りしたメッセージ記載領域５の頂部にくるよう折り返すようにする。
【００２６】
代案として、図３（ｂ）に示すように、メッセージ記載領域５は、隣接の折り返し領域７の方向に寸法を大きくし、少なくとも２つの折り片５ａ、５ｂを有する巻き折り可能にし、折り返し領域７はメッセージ記載領域５における巻き折り片５ａ、５ｂの寸法に適合する寸法にし、矢印Ｂ１で示すように、折り返し領域７を隣接するメッセージ記載領域の巻き折り片５ｂに対して重なり合うよう巻き折り、つぎに、矢印Ｂ２で示すようにメッセージ記載領域５の巻き折り片５ｂを５ａに向けて順次に巻き折りするようにする。
【００２７】
この第３実施例およびその変更例においては、折り重なりの開きを防止する開き防止手段を、折り返しにより互いに向き合う対向面に設けた粘着面とすることもできるが、図３に示すように、メッセージ記載領域５および折り返し領域７のうちの一方（図３（ａ）の実施例では折り返し領域７、図３（ｂ）の変更例では巻き折り片５ａ）に側方に突出するよう設けた粘着フラップ１２により構成することもできる。第３実施例およびその変更例によれば、メッセージ記載領域を拡大でき、より多くのメッセージを記載できるようになる。さらに、巻き折りしてメッセージ記載領域の折り片５ａをカバーするとともに、シート表面側にくるシート裏面、すなわち折り返し領域７の裏面及び／又は巻き折り片５ｂの裏面に広告表示を設けると好適である。
【産業上の利用可能性】
【００２８】
本考案による配送伝票支持シートは、商品流通のネット販売のみならず、実店舗販売における宅配業務に利用することができる。
【図面の簡単な説明】
【００２９】
【図１】本考案による配送伝票支持シートの第１実施例の線図的説明図である。
【図２】（ａ）は本考案による配送伝票支持シートの第２実施例の線図的説明図であり、（ｂ）はこの第２実施例の変更例の線図的説明図である。
【図３】本考案による配送伝票支持シートの第３実施例の線図的説明図である。
【符号の説明】
【００３０】
１  配送伝票支持シート
２  伝票配置領域
３  剥離片
４  ミシン目
５  メッセージ記載領域
5a,5b メッセージ記載領域の折り片
６  折り目
７  折り返し領域
８  粘着性表面
９  非粘着性裏面
１０  配送伝票支持シート
１１  他の広告表示領域
１２  粘着フラップ
【図１】
0003112530.tif 000003
【図２】
0003112530.tif 000004
【図３】
0003112530.tif 000005